(57)【要約】【課題】本発明は、ＣＴ画像データ群を基に、３Ｄプリンタを使用し、放射線治療計画の線量検証が可能で、人体外形及び人体内組織の線減弱率を調整可能な高精度なファントムを得ることができる個別患者用３Ｄプリントファントム作成支援装置を提供するものである。【解決手段】本発明の個別患者用３Ｄプリントファントム作成支援装置は、患者のＣＴ画像データ群を基に画像データ再構成手段５によりファントム用画像データを再構成し、ファントム用画像データを３Ｄプリントデータに変換し、３Ｄプリンタ１２により、３Ｄプリントデータを基に患者の各部位の線減弱率を模擬した線減弱率を有するように調整した出力素材を用いて、前記３Ｄプリント用データに対応した体表面、軟質組織を備え、空洞領域及び装填位置を具備するファントム２１を出力し、出力したファントムの空洞領域に患者の骨の線減弱率を模擬した等価物質を充填し、装填位置に線量検証測定具を装填して完成したファントムを作成する構成としたものである。【選択図】図１
2019066689.tif 000002
【特許請求の範囲】
【請求項１】
放射線治療の治療計画の線量検証を患者毎に行うことができるファントムを作成する個別患者用３Ｄプリントファントム作成支援装置であって、
放射線治療計画用に撮像した患者のＣＴ画像データ群を記憶する記憶手段と、
前記ＣＴ画像データ群における各画素のＣＴ値に応じて体表面、骨、軟質組織、空気からなるファントム用画像データを自動的に抽出する処理と、前記ファントム用画像データを基に体表面、軟質組織の領域を３Ｄプリンタ出力時に当該３Ｄプリンタにおける出力素材で埋めるデータ処理と、前記ファントム用画像データを基に骨の領域を空洞とするデータ処理と、前記ファントム用画像データを基に線量検証測定具の装填位置の設定を行うデータ処理と、を実行する画像データ再構成手段と、
前記画像データ再構成手段の処理結果を記憶するファントム用画像データ記憶手段と、
前記各データ処理を行いファントム用画像データ記憶手段に記憶されたファントム用画像データを３Ｄプリント用データに変換する３Ｄプリント用データ変換手段と、
前記３Ｄプリント用データ変換手段から転送される前記３Ｄプリント用データを基に患者の前記各部位の線減弱率を模擬した線減弱率を有するように調整した出力素材を用いて、前記３Ｄプリント用データに対応した体表面、軟質組織を備え、空洞領域及び装填位置を具備するファントムを出力する３Ｄプリンタと、
出力したファントムを完成品とするために、前記空洞領域に充填される患者の骨の線減弱率を模擬した等価物質及び前記装填位置に装填される線量検証測定具と、
を有することを特徴とする個別患者用３Ｄプリントファントム作成支援装置。
【請求項２】
前記画像データ再構成手段におけるファントム用画像データには、体表面、骨、軟質組織、空気の抽出データに加えて、少なくとも骨と軟質組織を含む二つ以上の領域を抽出し更に一つ以上の切断面を設定したデータが含まれ、前記３Ｄプリンタは、データ設定した切断面に対応して分割され、プリント出力後一体化されてファントムとなる複数のファントム要素を出力することを特徴とする請求項１記載の個別患者用３Ｄプリントファントム作成支援装置。
【請求項３】
放射線治療の治療計画の線量検証を患者毎に行うことができるファントムを作成するための個別患者用３Ｄプリントファントム作成支援プログラムであって、
放射線治療計画用に撮像した患者のＣＴ画像データ群の各画素のＣＴ値に応じて、体表面、骨、軟質組織、空気からなるファントム用画像データを自動的に抽出する処理と、
前記体表面、軟質組織の領域を３Ｄプリンタ出力時に当該３Ｄプリンタにおける出力素材で埋めるようにするデータ処理と、
前記骨の領域を空洞とするデータ処理と、
前記ファントム用画像データを基に線量検証測定具の装填位置の設定を行うデータ処理と、
をコンピュータ実行可能としたことを特徴とする個別患者用３Ｄプリントファントム作成支援プログラム。
【請求項４】
前記放射線治療計画用に撮像した患者のＣＴ画像データ群の各画素のＣＴ値に応じて、体表面、骨、軟質組織、空気からなるファントム用画像データを自動的に抽出する処理には、
少なくとも骨と軟質組織を含む二つ以上の領域を抽出し更に一つ以上の切断面を設定するデータ処理が含まれることを特徴とする請求項３記載の個別患者用３Ｄプリントファントム作成支援プログラム。
【請求項５】
前記放射線治療計画用に撮像した患者のＣＴ画像データ群の各画素のＣＴ値に応じて、体表面、骨、軟質組織、空気からなるファントム用画像データを自動的に抽出する処理には、
事前に計測された３Ｄプリンタの出力素材のＣＴ値に基づいて、当該出力素材のＣＴ値と異なるＣＴ値を持つ領域を再現するための等価物質の充填率を自動的に算出し、その領域を算出した充填率に基づいた格子状又はハニカム構造状のパターンデータに置き換えるデータ処理を含むことを特徴とする請求項３又は４記載の個別患者用３Ｄプリントファントム作成支援プログラム。
【請求項６】
前記放射線治療計画用に撮像した患者のＣＴ画像データ群の各画素のＣＴ値に応じて、体表面、骨、軟質組織、空気からなるファントム用画像データを自動的に抽出する処理には、
抽出した骨領域の画像から更にＣＴ値の低い内部領域を抽出し、当該内部領域の体積に相当する分を外側から削除することで、前記骨領域の形状を内部に空洞を持たない等価な体積を持つ骨形状のデータに置き換えるデータ処理を含むことを特徴とする請求項３乃至５のいずれか１項に記載の個別患者用３Ｄプリントファントム作成支援プログラム。
【請求項７】
放射線治療の治療計画の線量検証を患者毎に行うことができるファントムであって、
放射線治療計画用に撮像した患者のＣＴ画像データ群のＣＴ値に応じて、体表面、骨、軟質組織、空気の領域がデータ設定され、体表面、軟質組織の領域を３Ｄプリンタにおける出力素材で埋めるデータ設定がされ、骨の領域を空洞とするデータ設定がされ、線量検証測定具の装填位置がデータ設定されたファントム用画像データを３Ｄプリント用データに変換し、患者の前記各部位の線減弱率を模擬した線減弱率を有する出力素材を用いた３Ｄプリンタにより出力して、体表面、軟質組織を備え、空洞領域及び装填位置を具備するファントムとし、
前記空洞領域に患者の骨の線減弱率を模擬した等価物質を充填し、前記装填位置に線量検証測定具を装填して完成品としたことを特徴とするファントム。
【請求項８】
前記ファントムは、前記３Ｄプリンタにより、予めデータ設定した切断面に対応して分割されて出力された複数のファントム要素をプリント出力後一体化したものであることを特徴とする請求項７記載のファントム。
【請求項９】
前記３Ｄプリンタの出力素材の線減弱率、及び前記等価物質の充填率を調整することにより、各要素の各領域のボクセル単位での線減弱率を調整可能であることを特徴とする請求項７又は８記載のファントム。
【請求項１０】
患者のＣＴ画像データ群から抽出した各要素の領域のＣＴ値に応じて体表面、軟質組織に関する３Ｄプリンタの出力素材の線減弱率、及び骨の領域に充填する等価物質の充填率を調整することにより、各要素の各領域の線減弱率を調整可能であることを特徴とする請求項７乃至９のいずれか１項に記載のファントム。
【請求項１１】
放射線治療の治療計画の線量検証を患者毎に行うことができるファントムを作成し線量検証を行う個別患者用３Ｄプリントファントム作成・検証支援方法であって、
放射線治療計画用に撮像した患者のＣＴ画像データ群の各画素のＣＴ値に応じて、体表面、骨、軟質組織、空気からなるファントム用画像データを自動的に抽出する工程と、
前記ファントム用画像データを基に体表面、軟質組織の領域を３Ｄプリンタ出力時に当該３Ｄプリンタにおける出力素材で埋めるデータ設定を行う工程と、
前記ファントム用画像データを基に骨の領域を空洞とするデータ設定を行う工程と、
前記ファントム用画像データを基に線量検証測定具の装填位置のデータ設定を行う工程と、
上述した各データ設定を行ったファントム用画像データを３Ｄプリント用データに変換する工程と、
前記３Ｄプリント用データを基に３Ｄプリンタにより前記ファントム用画像データに対応したファントムを患者の各部位の線減弱率を模擬した線減弱率を有する出力素材を用いて出力する工程と、
出力したファントムにおける空洞領域に患者の骨の線減弱率を模擬した等価物質を充填するとともに、出力したファントムにおける装填位置に線量検証測定具を装填してファントムを完成品とする工程と、
完成したファントムを用いて当該患者の治療計画に基づく線量検証を行う工程と、
を含むことを特徴とする個別患者用３Ｄプリントファントム作成・検証支援方法。
【請求項１２】
前記放射線治療計画用に撮像した患者のＣＴ画像データ群の各画素のＣＴ値に応じて、体表面、骨、軟質組織、空気からなるファントム用画像データを自動的に抽出する工程には、少なくとも骨と軟質組織を含む二つ以上の領域を抽出し更に一つ以上の切断面をデータ設定する工程が含まれることを特徴とする請求項１１記載の個別患者用３Ｄプリントファントム作成・検証支援方法。
【発明の詳細な説明】
【技術分野】
【０００１】
本発明は、個別患者用３Ｄプリントファントム作成支援装置、個別患者用３Ｄプリントファントム作成支援プログラム、ファントム、及び個別患者用３Ｄプリントファントム作成・検証支援方法に関するものである。
【背景技術】
【０００２】
従来における放射線治療では、放射線治療計画装置を用いて腫瘍等に、例えば放射線の線量を集中させながら正常組織には極力照射されないように治療計画を作成する必要がある。
【０００３】
但し、この治療計画はコンピュータ上で計算されるため計算した通りに放射線が患者に照射されるかどうかはわからない。
【０００４】
そこで、患者の治療計画毎にファントムを用いて、その治療計画の精度検証を行っている。
【０００５】
しかし、従来用いられているファントムは、その形状が楕円形状や円柱形状が中心であり、中には人間を模して作成された形をした人形型のファントムも存在するが、その材質もＸ線の減弱が均質なファントムであり、実際に治療する患者の体型及び患者体内のＸ線の減弱を正確に反映しておらず、正確な検証ができていないのが実情であり、現状である。
【０００６】
本発明に関連する技術として、特許文献１には、円柱形や楕円形のファントムに電離箱線量計を挿入して線量測定するように構成した放射線治療における治療前検証方法が開示され、また、特許文献２にはあらかじめファントム自体に内蔵された検出器を用いて線量測定するように構成したファントムが開示されている。
【０００７】
しかし、これら特許文献１、特許文献２の技術では、患者体型に近いファントムを構築することができるものの、ファントム内部は水等価で均質であり、肺や軟部組織等、代表的な身体臓器を再現することは困難で、既述した場合と同様、患者の体型及び体内の放射線（Ｘ線）の減弱率を忠実に再現することができず、正確な放射線治療計画の検証ができないという問題を包含している。
【先行技術文献】
【特許文献】
【０００８】
【特許文献１】特表２００７−５１９４２６号公報
【特許文献２】特開２００５−１４８０３３号公報
【発明の概要】
【発明が解決しようとする課題】
【０００９】
本発明は、従来における上記事情に鑑み開発されたものであり、治療計画作成時に使用した患者のＣＴ画像データ群を基に、３Ｄプリンタを使用し、放射線治療計画の線量検証が可能で、人体外形及び人体内組織の線減弱率を調整可能な高精度なファントムを得ることができる個別患者用３Ｄプリントファントム作成支援装置を提供するものである。
【課題を解決するための手段】
【００１０】
本発明は、放射線治療の治療計画の線量検証を患者毎に行うことができるファントムを作成する個別患者用３Ｄプリントファントム作成支援装置であって、放射線治療計画用に撮像した患者のＣＴ画像データ群を記憶する記憶手段と、前記ＣＴ画像データ群における各画素のＣＴ値に応じて体表面、骨、軟質組織、空気からなるファントム用画像データを自動的に抽出する処理と、前記ファントム用画像データを基に体表面、軟質組織の領域を３Ｄプリンタ出力時に当該３Ｄプリンタにおける出力素材で埋めるデータ処理と、前記ファントム用画像データを基に骨の領域を空洞とするデータ処理と、前記ファントム用画像データを基に線量検証測定具の装填位置の設定を行うデータ処理と、を実行する画像データ再構成手段と、前記画像データ再構成手段の処理結果を記憶するファントム用画像データ記憶手段と、前記各データ処理を行いファントム用画像データ記憶手段に記憶されたファントム用画像データを３Ｄプリント用データに変換する３Ｄプリント用データ変換手段と、前記３Ｄプリント用データ変換手段から転送される前記３Ｄプリント用データを基に患者の前記各部位の線減弱率を模擬した線減弱率を有するように調整した出力素材を用いて、前記３Ｄプリント用データに対応した体表面、軟質組織を備え、空洞領域及び装填位置を具備するファントムを出力する３Ｄプリンタと、出力したファントムを完成品とするために、前記空洞領域に充填される患者の骨の線減弱率を模擬した等価物質及び前記装填位置に装填される線量検証測定具と、を有することを最も主要な特徴とする。
【発明の効果】
【００１１】
請求項１、２記載の発明によれば、これまで実現不可能であった実際の患者の組織状態を忠実に再現した状態のファントムの作成支援を行うことが可能であり、また、３Ｄプリンタによるプリント出力後一体化されてファントムとなる複数のファントム要素を作成して組み立てる構成を採用して実際の患者の組織状態を忠実に再現した状態のファントムの作成支援を行うことが可能な個別患者用３Ｄプリントファントム作成支援装置を実現し提供することができる。
【００１２】
請求項３乃至６記載の発明によれば、上記個別患者用３Ｄプリントファントム作成支援装置によるファントムの作成支援を実現し、更には、ＣＴ画像データ群の各画素のＣＴ値をより的確に反映した高精度のファントムを作成し得るとともに、石膏のような等価物質を流し込めるように骨領域を空洞とする後続のデータ処理、更には等価物質の充填率設定の適正化を実現できる個別患者用３Ｄプリントファントム作成支援プログラムを実現し提供することができる。
【００１３】
請求項７乃至１０記載の発明によれば、実際の患者の組織状態を忠実に再現した形態を有し、また、３Ｄプリンタによるプリント出力後一体化される複数のファントム要素を作成し組み立てることができ、更には、患者のＣＴ画像データ群から抽出した各要素の領域のＣＴ値に応じて体表面、軟質組織に関する３Ｄプリンタの出力素材の線減弱率、及び骨の領域に充填する等価物質の充填率を調整することで、各要素の各領域の線減弱率を調整可能であるファントムを実現し提供することができる。
【００１４】
請求項１１、１２記載の発明によれば、これまで実現不可能であった実際の患者の組織状態を忠実に再現した状態のファントムの作成支援を行い、又は３Ｄプリンタによるプリント出力後一体化される複数のファントム要素を作成し組み立てファントムとする作成支援を行い、作成したファントムを使用して当該患者に関する放射線治療計画の精度検証を的確に行うことが可能となり、これまでの既存のファントムでは発見が困難であった放射線治療計画のエラーを検出することができ、この結果、これまで以上により高精度で高品質な放射線治療を実現することが可能な個別患者用３Ｄプリントファントム作成・検証支援方法を実現し提供することができる。
【図面の簡単な説明】
【００１５】
【図１】図１は本発明の実施例に係る個別患者用３Ｄプリントファントム作成支援装置の全体構成を示すブロック図である。
【図２】図２は本実施例に係る個別患者用３Ｄプリントファントム作成・検証支援方法の一連の工程を示すフローチャートである。
【図３】図３は本実施例に係る個別患者用３Ｄプリントファントム作成支援装置によりデータ処理する患者のＣＴ画像の一例を示す図である。
【図４】図４は本実施例に係る個別患者用３Ｄプリントファントム作成支援装置により抽出した体表面、骨、軟質組織、空気の体軸断面（Ａｘｉａｌ）、横切り断面（Ｃｏｒｏｎａｌ）、縦切断面（Ｓａｇｉｔａｌ）、体表面の各画像データに基づく各画像の表示例を示す図である。
【図５】図５は本実施例に係る個別患者用３Ｄプリントファントム作成支援装置により骨の部分を空洞となるように設定した場合におけるサジタル画像の一部の表示例を示す図である。
【図６】図６は本実施例に係る個別患者用３Ｄプリントファントム作成支援装置により抽出した体表面、骨、軟質組織、空気の体軸断面（Ａｘｉａｌ）、横切り断面（Ｃｏｒｏｎａｌ）、縦切断面（Ｓａｇｉｔａｌ）、体表面の各画像データの各面に対して更に二つに分割できるようにデータ設定した場合の各画像の表示例を示す図である。
【図７】図７は本実施例に係る個別患者用３Ｄプリントファントム作成支援装置により抽出した体表面、骨、軟質組織、空気の体軸断面（Ａｘｉａｌ）、横切り断面（Ｃｏｒｏｎａｌ）、縦切断面（Ｓａｇｉｔａｌ）の各画像データの各面に対して更に二つに分割できるようにデータ設定した場合の各画像の表示例を示す図である。
【図８】図８左欄、右欄は本実施例に係る個別患者用３Ｄプリントファントム作成支援装置において、３Ｄプリンタによりプリント出力した２分割一体型のファントムの一例を示す図である。
【発明を実施するための形態】
【００１６】
本発明は、治療計画作成時に使用したＣＴ画像データを基に、３Ｄプリンタを使用して、放射線治療計画の線量検証が可能で、人体外形及び人体内組織の線減弱率を調整可能な高精度なファントムを得ることができる個別患者用３Ｄプリントファントム作成支援装置を実現し提供するという目的を、放射線治療計画用に撮像した患者のＣＴ画像データ群を記憶する記憶手段と、前記ＣＴ画像データ群における各画素のＣＴ値に応じて体表面、骨、軟質組織、空気からなるファントム用画像データを自動的に抽出する処理と、前記ファントム用画像データを基に体表面、軟質組織の領域を３Ｄプリンタ出力時に当該３Ｄプリンタにおける出力素材で埋めるデータ処理と、前記ファントム用画像データを基に骨の領域を空洞とするデータ処理と、前記ファントム用画像データを基に線量検証測定具の装填位置の設定を行うデータ処理と、を実行する画像データ再構成手段と、前記画像データ再構成手段の処理結果を記憶するファントム用画像データ記憶手段と、前記各データ処理を行いファントム用画像データ記憶手段に記憶されたファントム用画像データを３Ｄプリント用データに変換する３Ｄプリント用データ変換手段と、前記３Ｄプリント用データ変換手段から転送される前記３Ｄプリント用データを基に患者の前記各部位の線減弱率を模擬した線減弱率を有するように調整した出力素材を用いて、前記３Ｄプリント用データに対応した体表面、軟質組織を備え、空洞領域及び装填位置を具備するファントムを出力する３Ｄプリンタと、出力したファントムを完成品とするために、前記空洞領域に充填される患者の骨の線減弱率を模擬した等価物質及び前記装填位置に装填される線量検証測定具と、を有する構成とし、また、３Ｄプリンタにより、プリント出力後一体化されてファントムとなる複数のファントム要素を出力する構成により実現した。
【実施例】
【００１７】
以下、図面を参照して、本発明の実施例に係る個別患者用３Ｄプリントファントム作成支援装置、３Ｄプリントファントム作成支援プログラム、フアントム、及び３Ｄプリントファントム作成・検証支援方法について詳細に説明する。
【００１８】
ここに、ファントムとは、患者の人体組織と近似した材料で作成した人体模擬模型と定義して以下の説明を行う。
【００１９】
このファントムは、放射線測定器の校正、又は放射線診断や放射線治療の際の患者のための基礎データを求めて、一層正確な線量測定を実現したり、又は診療や治療に役立てたり、装置の性能を検査したりする用途を有するものである。
【００２０】
本実施例に係る個別患者用３Ｄプリントファントム作成支援装置１、すなわち、換言すると、患者個別検証用とも言うべき３Ｄプリントファントム作成支援装置１は、図１に示すように、この装置全体の制御を行う制御手段２と、３Ｄプリントファントム作成支援プログラム（以下単に「プログラム」という）を格納したプログラムメモリ３と、放射線治療計画用に撮像した患者のＣＴ画像データ群を記憶する記憶手段４と、前記プログラムに基づき、前記ＣＴ画像データ群における各画素のＣＴ値に応じて体表面、骨、軟質組織、空気からなるファントム用画像データを自動的に抽出する処理、前記ファントム用画像データを基に体表面、軟質組織の領域を３Ｄプリンタ１２の出力時に当該３Ｄプリンタ１１における出力素材で埋めるデータ処理、前記ファントム用画像データを基に骨の領域を空洞とするデータ処理、前記ファントム用画像データを基に線量検証測定具の装填位置の設定を行うデータ処理等を実行し、データ処理したファントム用画像データを生成する画像データ再構成手段５と、前記画像データ再構成手段４の処理結果を記憶するファントム用画像データ記憶手段６と、前記各データ処理を行いファントム用画像データ記憶手段６に記憶されたファントム用画像データを例えばＳＴＬ形式の３Ｄプリントデータに変換する３Ｄプリントデータ変換手段７と、前記３Ｄプリントデータを記憶する３Ｄプリント用データ記憶手段８と、前記ＳＴＬ形式の３Ｄプリントデータを外部に転送するための転送用インターフェース９と、各種画像等を表示する表示手段１０と、データ処理に必要な文字、数字等を入力するための入力手段１１と、前記３Ｄプリントデータ記憶手段８から転送用インターフェース９を介して転送される前記３Ｄプリントデータを基に患者の前記各部位の線減弱率を模擬した線減弱率を有するように調整した例えばＡＢＳ樹脂等からなる出力素材を用いて、前記３Ｄプリントデータに対応した体表面、軟質組織を備え、空洞領域及び装填位置を具備するファントム２１を出力する３Ｄプリンタ１２と、出力したファントム２１を完成品とするために、前記空洞領域に充填される患者の骨の線減弱率を模擬した図示しない例えば石膏等の等価物質及び前記装填位置に装填される図示しないがチェンバー装置等の線量検証測定具と、を有している。
【００２１】
次に、上述した本実施例に係る個別患者用３Ｄプリントファントム作成支援装置１を使用して実行する個別患者用３Ｄプリントファントム作成・検証支援方法について、図２、及び図３乃至図８をも参照して説明する。
【００２２】
まず、前記画像データ再構成手段５は、オペレータの入力手段１１からの入力操作に応じて、制御手段２の制御の基に、前記プログラムに基づき図３に示す表示形態となる患者のＴ画像データ群における各画素のＣＴ値に応じて体表面、骨、軟質組織、空気からなるファントム用画像データを自動的に抽出する処理を行う。
【００２３】
抽出したファントム用画像データに対応する体軸断面（Ａｘｉａｌ）、横切り断面（Ｃｏｒｏｎａｌ）、縦切断面（Ｓａｇｉｔａｌ）、及び体表面の各画像の表示例を図４に示す。
【００２４】
次に、前記画像データ再構成手段５は、オペレータの入力手段１１からの入力操作に応じて、前記ファントム用画像データを基に体表面、軟質組織の領域を３Ｄプリンタ１２の出力時に当該３Ｄプリンタ１２における出力素材で埋めるデータ設定、前記ファントム用画像データを基に骨の領域を空洞とするデータ設定処理を実行する。
【００２５】
上述した体表面、軟質組織の領域を３Ｄプリンタ１２の出力時に当該３Ｄプリンタ１２における出力素材で埋めるデータ設定においては、患者の体表面や軟質組織の領域に関する平均ＣＴ値に合わせて出力素材の素材充填率を任意に変更（５０〜１００％）する設定も行う。
【００２６】
また、骨の領域を空洞とするデータ設定においては、３Ｄプリンタ１２によるファントム２１の出力後に、当該骨の領域に当該骨のＸ線減弱率と同等のＸ線減弱率を有するように調整した等価物質である例えば石膏を流し込めるような形状になるようにデータ設定を行うものである。
【００２７】
図５は、骨の領域を空洞とするデータ設定を行ったファントム用画像データに対応するサジタル画像の一部の表示例を示すものである。
【００２８】
次に、前記画像データ再構成手段５は、オペレータの入力手段１１からの入力操作に応じて、前記ファントム用画像データを基に指定した体軸断面（Ａｘｉａｌ）、横切り断面（Ｃｏｒｏｎａｌ）、縦切断面（Ｓａｇｉｔａｌ）、及び体表面の各面の画像データに対して、３Ｄプリンタ１２による出力後において断面を境に二つに分離したファントム要素２１ａ、２１ｂとなるようにデータ編集する。
【００２９】
この際、断面位置のデータ編集や、図示しないが断面に検証フィルムを装填する位置のデータ編集、図示しないが分離したファントム要素を一体に合体できるような雌雄の結合用ファク形状のデータ編集も併せて行う。
【００３０】
図６、図７に指定した体軸断面（Ａｘｉａｌ）、横切り断面（Ｃｏｒｏｎａｌ）、縦切断面（Ｓａｇｉｔａｌ）の各面の画像データに対応する画像表示例を示す。
【００３１】
このようにして、上述したような各種のデータ処理を行ったファントム用画像データは、前記ファントム用画像データ記憶手段６に記憶される。
【００３２】
次に、３Ｄプリントデータ変換手段７は、オペレータの入力手段１１からの入力操作に応じて、制御手段２の制御の基に、前記ファントム用画像データ記憶手段６に記憶されているファントム用画像データを例えばＳＴＬ形式の３Ｄプリントデータに変換する。
【００３３】
変換された前記３Ｄプリントデータは、前記３Ｄプリント用データ記憶手段８に記憶される。
【００３４】
オペレータの入力手段１１からの入力操作に応じて、３Ｄプリント用データ記憶手段８に記憶されている前記３Ｄプリントデータは転送用インターフェース９を経て、３Ｄプリンタ１２に転送する。
【００３５】
これにより、前記３Ｄプリンタ１２は、前記３Ｄプリント用データを基に前記ファントム用画像データに対応したファントム要素２１ａ、２１ｂからなるファントム２１を患者の各部位の線減弱率を模擬した線減弱率を有する出力素材を用いて例えば図８に示す形態でプリント出力する。
【００３６】
次に、プリント出力したファントム２１における空洞領域に患者の骨の線減弱率を模擬した石膏等の等価物質を充填するとともに、出力したファントム２１における装填位置にチェンバー装置のような線量検証測定具を装填してファントム２１を完成品とする。
【００３７】
なお、図８左欄、右欄は、２分割からなるファントム要素２１ａ、２１ｂを連結して一体型のファントム２１とした例を示すものである。
【００３８】
そして、上述した工程を経て完成したファントム２１を用いて当該患者の治療計画に基づく線量検証を実行する。
【００３９】
以上説明した本実施例の個別患者用３Ｄプリントファントム作成支援装置１によれば、これまで実現不可能であった実際の患者の組織状態を忠実に再現した状態のファントム２１の作成支援を行うことができる。
【００４０】
また、本実施例の個別患者用３Ｄプリントファントム作成・検証支援方法によれば、これまで実現不可能であった実際の患者の組織状態を忠実に再現した状態のファントム２１の作成支援を行い、更に作成したファントム２１を使用して当該患者に関する放射線治療計画の精度検証を的確に行うことが可能となり、これまでの既存のファントムでは発見が困難であった放射線治療計画のエラーを検出することができ、この結果、これまで以上により高精度で高品質な放射線治療を実現することができるようになる。
【００４１】
従来技術においては、患者の体型に近い形態のファントムを構築する技術は存在するものの、この場合のファントム内部は水等価で均質であり、患者の肺や軟質組織等、代表的な臓器類を高精度で再現することはできなかった。
【００４２】
しかし、本実施例に係るファントム２１によれば、ＣＴ画像情報群と３Ｄプリンタ１２の技術を用いることで、当該ファントム２１において、患者の体型及び体内の組織に対応してボクセル単位でのＸ線減弱率を再現することができ、実際の患者に放射線を照射した状態をより忠実に模擬することが可能となる。
ここで、ＣＴ画像に含まれる各部位のＣＴ値と３Ｄプリンタ１２の出力素材との関係及び軟部組織の充填率とＣＴ値との関係、及び、石膏について言及すると、軟部組織の平均ＣＴ値：患者では１２．１±１２４．５ＨＵ、ファントム２１では１３．０±１４４．３ＨＵ、骨：患者では７７１．５±４０５．３ＨＵ、ファントム２１では４３９．５±１３７．０ＨＵとなる例を挙げることができる。
また、軟部組織は、ＰＬＡを充填率１００％で作成し、骨は水と石膏を２：１で混合して作成する。
軟部組織については、充填率が１０％でＣＴ値は−８５０ＨＵ、２０％で−７５０ＨＵ、３０％で−６５０ＨＵ、４０％で−５５０ＨＵ、５０％で−４５０ＨＵ、６０％で−３５０ＨＵ、７０％で−２５０ＨＵ、８０％で−１５０ＨＵ、９０％で−５０ＨＵ、１００％で−２５ＨＵの例を挙げることができる。
さらに、等価物質である石膏については、液体状の石膏を流し込んで固めるものである。
【００４３】
すなわち、通常の鋳型を作成してファントムを作成する従来技術ではボクセル単位でのＸ線減弱率の変更を行うことは不可能であったが、本実施例に係るファントム２１によれば、そのような問題を解決することができる。
【００４４】
本実施例の個別患者用３Ｄプリントファントム作成支援装置１、個別患者用３Ｄプリントファントム作成・検証支援方法について更に言及すると、ＣＴ画像データ群から骨と軟質組織を含む二つ以上の領域を抽出し、骨、軟質組織の領域は３Ｄプリンタ１２で出力させない（空洞とする）モデリングデータを自動作成し、そのデータを３Ｄプリンタ１２に送り、既述したようなファントム２１を出力するようにすることもできる。
【００４５】
そして、出力させないことで生じる骨と軟質組織に相当する領域（空洞）に、骨及び軟質組織と同等の線減弱率を有する等価物質を流し込むことにより、患者の体外、及び体内のＸ縮減弱率をボクセル単位で忠実に再現できるファントム２１を作成するようにすることもできる。
【００４６】
この際、骨及び軟部組織の空間に流し込んだ等価物質は外に漏れない構造とすることが肝要となる。
【００４７】
また、作成したファントム２１において、任意の位置にＸ線の線量を測定するためのチェンバー装置、フィルム、又は任意の構造物を挿入できる構造を任意にモデリングすることができる。
【００４８】
更に、前記３Ｄプリンタ１２によって分割状態の二つのファントム要素２１ａ、２１ｂを互いに接合し一体化したファントム２１として完成することが可能な構造として出力できる。
【００４９】
また、等価物質を流し込む対象領域のうち他の構造要素が接している箇所について、他の材料で穴埋めして外に漏れない構成とすることもできる。
【００５０】
更には、骨及び軟部組織と同等の放射線線減弱率を有する物質を流し込む対象領域のうち、体表外又は切断面のいずれにも接さず他の領域に完全に内包される領域を自動的に検知し、体表外、切断面、別の領域のいずれかへの接続部を自動的に生成することで、外部から物質を流し込める構成とすることもできる。
【００５１】
更にまた、作成するファントム２１において、任意の位置に電離箱線量計等の各種線量計、フィルム又は任意の構造物を挿入できる構造については３Ｄプリンタ１２に転送するファントム用画像データのデータ設定により容易に実現することができる。
【００５２】
また、前記プログラムに関しては、前記放射線治療計画用に撮像した患者のＣＴ画像データ群の各画素のＣＴ値に応じて、体表面、骨、軟質組織、空気からなるファントム用画像データを自動的に抽出する処理に、事前に計測された３Ｄプリンタ１２の出力素材のＣＴ値に基づいて、当該出力素材のＣＴ値と異なるＣＴ値を持つ領域を再現するための等価物質の充填率を自動的に算出し、その領域を算出した充填率に基づいた格子状又はハニカム構造状のパターンデータに置き換えるデータ処理を付加することもでき、これにより、３Ｄプリンタ１２によるファントム２１用の出力素材を調整してより適切なＣＴ値を持った出力素材によりＣＴ画像データ群の各画素のＣＴ値をより的確に反映した高精度のファントム２１を得ることが可能となる。
【００５３】
また、前記プログラムに関しては、前記放射線治療計画用に撮像した患者のＣＴ画像データ群の各画素のＣＴ値に応じて、体表面、骨、軟質組織、空気からなるファントム用画像データを自動的に抽出する処理に、抽出した骨領域の画像から更にＣＴ値の低い内部領域を抽出し、当該内部領域の体積に相当する分を外側から削除することで、前記骨領域の形状を内部に空洞を持たない等価な体積を持つ骨形状のデータに置き換えるデータ処理を付加することもでき、これにより、石膏のような等価物質を流し込めるように骨領域を空洞とする後続のデータ処理、更には等価物質の充填率設定の適正化を実現できる。
【産業上の利用可能性】
【００５４】
本発明によるファントムは、放射線療法における治療計画の作成検証や、放射線発生装置の校正用ファントムとして好適に用いることができる。また、本発明は、Ｘ線コンピュータ断層撮影画像の他、磁気共鳴断層画像（ＭＲＩ断層画像）、陽電子放射断層画像等に基づくファントム作成支援技術として広範に応用可能である。
【符号の説明】
【００５５】
１    個別患者用３Ｄプリントファントム作成支援装置
２    制御手段
３    プログラムメモリ
４    記憶手段
５    画像データ再構成手段
６    ファントム用画像データ記憶手段
７    ３Ｄプリントデータ変換手段
８    ３Ｄプリント用データ記憶手段
９    転送インターフェース
１０    表示手段
１１    入力手段
１２    ３Ｄプリンタ
２１    ファントム
２１ａ  ファントム要素
２１ｂ  ファントム要素
【図１】
2019066689.tif 000003
【図２】
2019066689.tif 000004
【図３】
2019066689.tif 000005
【図４】
2019066689.tif 000006
【図５】
2019066689.tif 000007
【図６】
2019066689.tif 000008
【図７】
2019066689.tif 000009
【図８】
2019066689.tif 000010